【手続補正書】
【提出日】平成28年4月28日(2016.4.28)
【手続補正１】
【補正対象書類名】明細書
【補正対象項目名】全文
【補正方法】変更
【補正の内容】
【発明の詳細な説明】
【発明の名称】建物地中杭の追加杭補修工法。
【技術分野】
【０００１】本発明は、建物の基礎部分の杭に関する一定の深さまで打設した杭が固い地盤にとどかず効果が無い時、杭先端部に追加して効力を抗に持たせる工法に関す。
【背景技術】
【０００２】一般的に抗は表面の軟弱な土壌部分の下の強固な地盤に打込む事でマンション等建築物をささえる基礎の支柱とする事としている。土壌深部の強固な地盤が深さ河ｍの位置にあるかは、杭打設位置によって異なる事が多く推定した位置より深くに有る土地部分や水位が強固な地盤中を流れる場合もあり計画より深い位置で固定する必要性がある場合の様な条件変化がわからず浅目に杭の下端を設定した設計誤算や施工誤算を起す場合がある。その様な場合の杭の深部の改善方法は、考えられていない。地中の深部の補修なので方法は無いとされている。【０００３】以下、により従来のマンションなど建物の地下杭の施工工法について説明する。一般に工法としては、ペノト工法・リバース工法・アースドリル工法ファ（ル）シデックスぐい工法・岩盤掘削工法・エクセル工法  などがある。まず土質調査をおろそかにするとのちに問題が起りやすくなるので注意が必要である。Ｎ値の大きさだけにまどわされない  玉石層  崖錐層などでは、Ｎ値がそのまま地盤の強さを示すとは限らない又、土質調査の粗漏に（な）よる工事の失敗をどうみるかボーリング調査深さの判定の誤りをどうみるか…などの問題がある。ペノト工法・リバース工法・アースドリル工法の３つの工法に共通の項目事項として以下がある、（基本工法）2017179691.tif 000001
２．３工法に共通する特徴３．はじめにしっかりした計画を立てる４．くいの計画径、中心間隔、くい長をよく考える５．機械器具の運搬に必要な台数はどの位か、６．近接作業における作業限界距離はどのように決めるか７．なぜ土と水の問題が重要かということとその問題点８．場所打ちぐいの崩壊性の問題をどう考えるか９  酸欠空気の恐ろしさを知る。１０．掘削器具をチェックする。１１．くい先端とくい週辺地盤のゆるみ１２．残土処理をいかに行うか１３．水中コンクリート施工のポイントを把握１４．水中コンクリート打設は、こうして管理１５  コンクリートは、粘り気が大切１６．コンクリートの品質管理を問う１７  品質不良のコンクリートがつくられる原因１８．工事記録をどうまとめるか１９．施工記録は、くいの品質を保証する重要な手がかり２０．底ざらい、スライム除去は大切だ２１．場所打ちぐいにおける水質汚濁とは何か２２．泥水処理をいかに行うか２３．４方向同時測定の超音波孔壁測定機２４．コンクリート天端検知器を有効に利用しよう。２５．パワーケーシング・ジャッキの応用２６．電波による地中物体の検知器を利用する。２７．ＰＰＣ工法による場所打ちコンクリートぐいのくい頭処理杭の芯にカゴの様な金属性の物を使用したり少し太目の棒状の金属凸起のある物を使用しする方法もある。この様にしてモルタルを注入して地中杭を造ることになる。もちろん一般には、モルタルを調整して流し込む方法によるのである。深さを強度的に計算して決め造ることにより地下地盤固層と建物を抗でつなぐのです。このときカゴをつくる鉄筋は様々な形があり注意を要する。【０００４】  固層地盤に杭がとどき一定の深さで効果がある様に多様な検討される各杭のそれぞれが深い位置に届く事が必要である。地層は固層のラインがユレギラーしており深さは、まちまちに異なっている場合が多いので各杭の深さを変えなければ、届かない杭も発生する事になる。予測の深さが正しいかどうか厳格さが必要である。
【先行技術文献】
【特許文献】
【０００５】
【特許文献１】
【非特許文献】
【０００６】
【非特許文献１】
2017179691.tif 000002
【発明の概要】
【発明が解決しようとする課題】
【０００７】  以上に述べた従来の建築杭打工法の考え方やり方では安易な推測による施工ミスが起る可能性がある深部固定の強固地盤層の杭打部をどの位置まで行なうか重要である。万が一その層にとどかないとか地層強度に不安が生じた場合に解決するには建物をこわし建直す事が要求される。その方法しか納得する方法はないと言われている。本工法発明は、これを補修で改善する【０００８】  本発明は、このような発生した不具合を改善し得る補修工法で問題点を解決しようとするものである。杭の長さを延長あるいは新規に増す事が出来る事を目的とするものである。
【課題を解決するための手段】
【０００９】そして、本発明は上記目的を達成するために杭の建物外部位置の近くに新たに縦坑を掘り、底部から横穴を杭先端部に対して掘り進める。。人による堀削により杭の下部端を見つけその位置から下は横坑を堀り杭の逆側のはしまで深さの設定しなくてはならない所まで深部固定の強固地盤層を含めて手堀で堀り進む。  この際に縦坑から横坑を掘削する為に機械を底部におろし、強力な動力で横穴を掘る。そして、すでにある杭の底部先端に届く穴を杭の手前から先（反対側）まで掘る。そして上述と同様にして杭先穴を完成させる。この様に機械掘削でも良い。１．従来技術  図のように地下の岩盤はいろんな事情からその深さは場所によりことなる。（図２−１）２．平均的深さで一定の杭の深さを決めると  ある場所では      にとどいているが別の杭の場所では岩盤の位置が深く杭がとどかない３．一般に杭を打つ場所ごとに異なっている４．一定の深さで杭を打った場合岩盤にとどく所とそうでない杭ができる。５．部分的に建物の強度が異なり一部建物が沈下したりかたむいたり部分変形などがおこり地震などで部分的ほうかいなどの危険性が発生する。６．岩盤に到達しない杭についてその補修工法の提案がなく、全棟建直しを行なうと大変な予算を要す。７．そこで本発明は、補修工法を提案するものである。１  現場において建物に異状が発生するとき杭について建物の外部近接周囲より縦坑を堀り杭が岩盤に届いているかを確認し杭の真下を堀り不足の杭についてつぎたす金属接合金物・カゴ状金属接合物などで継ぐが、接着剤を使用し継ぐ方法を提案する。（もしくは、接着剤のみの場合もある。）これが第一の手段である。○杭の下部面に特種金物継ぎ部品を個定する為の穴を開け約１０〜３０ｃｍ深さ、直径５〜２０ｃｍ程度の大きさとする。そこに特種金物継ぎ部品を差込み固定する。○このとき接着剤を使用しますが、まずエポキシ接着剤専用プライマーを杭下端面に手で塗布し、開けた穴の内面にも正確に塗布し手により確実な施工とする。○○プライマーが硬化するまでにマヨネーズタイプ（軽量エポキシ）モルタルエポキシ接着剤を穴に入れるとだれないで穴中に存在した形になる。○そこに開発した新規特種金物継ぎ部品の杭用差込部を下部から４ヶ所以上の本数をモルタルエポキシ内に差込む。（カゴ型特殊金物でもよい。）そして、下部には金物を支える木材などや石を使って差込状態を保持し接着剤が固まるまで放置する。固まると金物が杭下に固定されたのをたたいて確認して金物の杭との接合を確認する。金物については後述する。○ここまでが基本の施工方法である。○次にセメントモルタルを縦坑から流し込むそして杭下部まで流し込む。このままで硬化させれば、水分が浮上しこれが蒸発し硬化が完了するまで待つこれで一連の基本部分は完了する。しかし、ここで杭下部と流し込みコンクリートの上部にすき間が３〜４ｃｍ発生するので、そこに再度エポキシモルタルを機械圧入・手動圧入する。又は、セメントモルタール流し込みをやや少くし上部に３０〜４０ｃｍスキ間をつくりプライマーとエポキシモルタルを手でぬってから流し込むと確実であるがこの場合エポキシ樹脂が高価なので費用がかさむ。【００１０】  手段２は、縦坑と横坑（杭下部）を掘り��えて杭の下部面（平面）にエポキシ専用プライマーを手塗りする。そしてセメントモルタルを流し込みぎりぎり上部まで詰め込む。（杭下部面を残した位置まで入れる。）時間をかけて浮水が出るが固まるまで放置する（水が蒸発するまで）ほぼ固まったらエポキシモルタル（マヨネーズタイプ）を上部スキ間に圧入する金物を使わない工法である。プライマーの硬化時間を５日〜２０日程度あるいはもっと長いものを使用するのがポイントである。その他、１６の水ヌキを縦坑に設置しあるいは金物を使わずセメントモルタルを流し込んでその杭下部より高い（５０ｃｍ〜１ｍ）程度の位置まで縦坑に流し圧力を杭面までつたえる事とするやり方もある。【００１１】  上記第１の課題の解決方法による作用は次の通りである。すなわち手による杭下面に開けた穴や表面へのプライマー塗布が確実な工法として安心感を与え、硬化したエポモルによる結合をたたいて強度を確認できるのできわめて確実な工法と言え、金物の特種な形状により杭下部穴へもセメントモルタルへの対応も確実となる。金物の上部杭への差込部の形状は自由な凸部を多様に含む形でありモルタルセメント侵入部は、さらに大形の自由な凸部を多く含む形なのでコンクリート内にきつく固定される。【００１２】また、第２の課題解決手段による作用は、１６の部品はセメントモルタルを与分に注ぎ込む事により杭の下面に加圧する事でセメントモルタルの上浮水を追い出し１６の水分離保管部へ貯蔵しそこから蒸発させる。早期の工事にできる作用や強固に面に杭圧着する。
【発明の効果】
【００１３】上述したように本発明の補修工法は、  第１の法々のように下部杭に開けた穴に対し確実に接着する金物取付部全体をコンクリー強度より強い形にし、一体化する効果でコンクリート下部も強固一体化にできる工法とする事ができた又手ぬりのプライマーを上部空間に出た金物にも塗布しておいて、スキ間にエポキシモルタル（マヨネーズタイプ）を注入し空間を満す又１６の装置で水を分離してプライマーに加え薄塗装のエポキシモルタル（マヨネーズタイプ）で圧着固化させる。（セメントモルタルと）高粘性エポキシプライマーだけでも良い。もちろんセメントモルタルを縦坑から注入し杭最下面まで注入して放置でも金物が杭と強固に接着されているので十分に一体化しており放置しても良い。【００１４】＜第２の方法＞第２の方法では、特に１６の装置を使えば早期に水分を追い出し、濃度のこくなったセメントモルタル接着部杭下面に１５で圧力をかけてそのまま強固に圧着させる事ができる。金物不使用の方法となる。又上記で述べたプライマを杭下面に手ぬりしておきセメントモルタル注入後乾燥状態にしエポキシモルタル（マヨネーズタイプ）を機械圧力注入又は手動注入をする。乾燥時点でプライマーを手ぬり又は手動で圧入する（セメントモルタル表面）プライマーは高粘性で良い。（プライマーだけでもよい）
【図面の簡単な説明】
【００１５】
【図１】建物と既存杭と補修坑
【図２】境界穴確認図  縦坑掘削状態図  建物基礎杭未完状態図
【図３】特種継金物と接着固定状態図（固定設置は、エポキシ高粘度性樹脂接着）
【図４】セメントモルタル注入によるモルタルコンクリート固定
【図５】モルタル上部埋設図  コンクリート確認図  浮水蒸発確認図  エポキシ軽量モルタル詰注入図（圧力用上部モルタル注入図）
【図６】セメントモルタルを圧力用セメントモルタルを外部から注入し、浮水を別けて水分を蒸発させながら固める。仕様図
【図７】打継ぎ金物例図
【図８】実施態様図
【図９】カゴ型打継ぎ金物全体図
【発明を実施する為の形態】
【００１６】図１は、建物の平面図であるが建物の外周から杭に近い2017179691.tif 000003
建物中央部の杭の場合は１Ｆ床面を掘削する事も有る。又、老朽化した杭の為の新杭打ち増杭も行う事ができる。
【００１７】図２は軟弱土壌層と深部岩盤土壌をつらぬいて杭が打たれてその深さが最小１５００ｍｍ以上である事が基礎杭の最低状件と思われ約２ｍ深さの岩盤まで堀り横坑（柱のはし縦坑と反対側の柱杭のはし）まで掘削する。
【００１８】図３において杭の下面を掘削して（５ケ所以上）０〜３００ｍｍの直径３０〜１００ｍｍ程度の穴を作り、エポキシ接着用プライマーを塗布しておく、（なにもしない圧入による場合も可能）そして硬化時間の遅いマヨネーズタイプエポキシ接着剤を塗布、重ね塗りする、（水中エポキシでも良い。）
【００１９】この穴にセメントモルタルを圧力注入し７割〜８割の深さまで人が入る事ができるスペースをのこした注入とする。ここで１０割注入とするかで方法は変わる。とにかく硬化させる。
【００２０】７割程度のセメントモルタル注入では５〜１０日で（金物（特殊）を杭下の穴に差込む作業をあらかじめ行ない注入を開始してもよい。）乾燥してセメントモルタルは固まってくる。セメントモルタルの浮水等がなくなるそこでエポキシ樹脂専用プライマーを塗りスキ間にエポ接着剤を注入圧入する。この穴（ホース）はセメントモルタル注入時に杭下部と縦坑の仕切壁として木質板を硬化前に差入れ作ったものである。
【００２１】あるいは、１０割セメントモルタルを注入したやり方では、同じく乾燥をまって仕切板の注入穴からセメントモルタル（濃度の高い）を注入するかマヨネーズタイプのエポキシモルタルを圧注入（このとき水中エポキシ接着剤を使用しても良い）する工法もある。（図４、５）
【００２２】７割８割の注入においては、人が手でプライマーを塗り、その表面にマヨネーズタイプのエポキシモルタルを手で塗布できるので確実な工法とする事が出来る。
【００２３】仕切板壁は５０ｃｍ角の穴をもうけ人の出入が出来る様にし、後に圧力注入ホース穴の開いた壁に仕上げ直し、注入を行う。
【符号の説明】
【００２４】  ０１  既存杭    ０２  補修用縦坑    １Ａ  不十分杭  １  境界確認穴                      １Ｂ  未達杭  ２  境界確認部土除去部  ３  固層地盤層  ４  固層地盤掘削底部  ５、建物下部  ６、在打杭  ７、軟弱層地盤  ８、杭最下端面  ９、金物固定穴（５〜２０ｃｍ程度）      内面軽量エポキシモルタル      （マヨネーズタイプ）、プライマー１０、金物固定枕木１１、杭継ぎ特種金物      （様々な自由な形状）１２、セメントモルタル（軽量エポモルタル）１３、浮水（蒸発）１４、プライマー１５、圧力モルタル（セメント）１６、水ヌキ装置１７、仕切板１８  エポキシモルタル１９、カゴ型打継ぎ金物